(57)【特許請求の範囲】
【請求項１】
支持用棒の一端に支持用ラセン環と他端に道糸用環とを備え、支持用ラセン環の末端を下向きのＬ字形停止用ピンとし、支持用ラセン環近傍にオモリ用支柱を備えたオモリ用環を有した支持部と、腕用棒の一端に腕用ラセン環と他端にハリス用環とを備え、腕用ラセン環の末端を腕用ラセン環の外周でハリス用環とは反対側に横たわる逆折れ防止用バーとする腕部と、軸とで構成し、支持用ラセン環と腕用ラセン環とを軸で屈折自在に結合することで、投入時には支持用棒が逆折れ防止用バーに当り腕部の逆折れを防ぎ、沈降時には腕用棒がＬ字形停止用ピンに当り支持部と腕部とが軸を介してＬ字形となり、沈降停止時には腕部が軸を支点に垂れ下がり、魚と引き合った時には支持部と腕部とが一直線となることを特徴とした変化する釣り用テンビン。
【発明の詳細な説明】
【技術分野】
【０００１】
本発明は、魚釣りで使用するテンビンにおいて、Ｌ字形から一直線にと変化させる方法として、道糸を接続する支持部とハリスを接続する腕部とを軸で屈折自在に結合することで、投入時は腕部の逆折れを防ぎ、沈降時は支持部と腕部とがＬ字形となり、魚と引き合う時や運搬時には一直線となる変化する釣り用テンビンに関する。
【背景技術】
【０００２】
従来、船での魚釣りで使用するテンビンは、沈降時には道糸とハリスとの絡みを防ぐことを重視していたが、魚が食い付くときの違和感を和らげ、魚が食い付き引き合っても変形を防ぐことが望まれる。これまでにいろんな形態の魚釣り用テンビンが提案されているその中の一つに、支持軸と棒軸とが振子運動可能に結合し、棒軸は結合部を介してＬ字形に屈曲してオモリを吊着してあり、沈降時及び沈降停止時は支持軸と棒軸とがＬ字形となり、魚が食い付き引き合うと棒軸をＬ字形に屈曲して取り付けたオモリを振り上げて支持軸と棒軸とが一直線になることを特徴とした魚釣り用テンビンがある。（例えば、特許文献１参照）そこで、オモリの取り付けが棒軸の結合部を介してＬ字形に屈曲してオモリを吊着しているので、魚が食い付く時に違和感を与え、魚を取り込む時に魚の引きの強弱でオモリが振れ、運搬時には嵩が大きいのでこれらの改善が要求される。
【特許文献１】平２−３６９７７号公開実用新案公報
【発明の開示】
【発明が解決しようとする課題】
【０００３】
本発明は、上記従来技術の問題点を解決し、魚が食い付く時の違和感や魚を取り込む時に魚の引きの強弱でオモリが振れることを軽減し、運搬時には嵩が小さくなる変化する魚釣り用テンビンを提供することを課題とする。更に、本発明は投入時には腕部の逆折れを防ぎ、沈降時には支持部と腕部とがＬ字形となり、沈降停止時には腕部が垂れ下がり、魚が食い付き引き合う時には一直線になる変化する釣り用テンビンを提供することを課題とする。
【課題を解決するための手段】
【０００４】
本発明の変化する釣り用テンビンは、上記目的を達成するために、支持用棒の一端にＬ字形停止用ピンを備えた支持用ラセン環と他端に道糸用環とを備え、支持用ラセン環近傍にオモリ用支柱を備えたオモリ用環を有した支持部と、腕用棒の一端に逆折れ防止用バーを備えた腕用ラセン環と他端にハリス用環とを備えた腕部と、軸とで構成し、支持用ラセン環と腕用ラセン環とを軸で屈折自在に結合する。
【発明の効果】
【０００５】
本発明によれば、投入時は腕部の逆折れを防ぎ、沈降時は支持部と腕部とがＬ字形となることで道糸とハリスとが離反し絡むことを防ぎ、沈降停止時は腕部が軸を支点に垂れ下がることで魚の食い付く時に与える違和感を軽減して魚の食い込みが良くなり釣果率が上がり、魚との引き合いで支持部と腕部とが一直線になることで変形することを防ぎ、魚の引きの強弱にもオモリの振れを軽減し、運搬時は嵩が小さい。
【発明を実施するための最良の形態】
【０００６】
本発明は、Ｌ字形から一直線にと変化する魚釣り用テンビンで、それを図面について説明すれば、図１は、本発明の変化する釣り用テンビンの形態を示す正面図で、支持用棒１１の一端に支持用ラセン環（ラセン環とは、棒軸をネジ状に形成した開放環）１３を備えた末端で下向きのＬ字形停止用ピン１４とし、他端に道糸用環１２を備え、支持用ラセン環１３の近傍にオモリ用支柱１６を備えたオモリ用環１５を有した支持部と、腕用棒２１の一端に腕用ラセン環２３を備えた末端を腕用ラセン環２３の外周でハリス用環とは反対側に横たわる逆折れ防止用バー２４を備え、他端にハリス用環２２を備えた腕部と、軸３１とで構成し、支持用ラセン環１３と腕用ラセン環２３とを軸３１で屈折自在に結合してなる。図２は、図１の支持用ラセン環部分の詳細正面図で、支持用棒１１に備えた支持用ラセン環１３の末端で下向きのＬ字形停止用ピン１４としてなる。図３は、図１の腕用ラセン環部分の詳細正面図で、腕用棒２１に備えた腕用ラセン環２３の末端を腕用ラセン環２３の外周に横たわる逆折れ防止用バー２４を備えてなる。図４は、図１の結合した軸部分の詳細左側面図で、支持用ラセン環１３と腕用ラセン環２３とを軸３１で屈折自在に結合することで、投入時には支持用棒１１が逆折れ防止用バー２４に当り腕部の逆折れを防ぎ、沈降時には腕用棒２１がＬ字形停止用ピン１４に当り支持部と腕部とがＬ字形となる。図５は、本発明の変化する釣り用テンビンが沈降中の一実施例を示す概念図で、道糸用環１２に道糸９２を、ハリス用環２２にハリス９３をそれぞれ接続し、オモリ用環１５にオモリ９１を吊着して沈降させると、海水の抵抗で軸３１を支点にハリス用環２２側が振り上がり、腕用棒２１がＬ字形停止用ピン１４に当り支持部と腕部とがＬ字形となる。図６は、本発明の変化する釣り用テンビンが沈降停止時の一実施例を示す概念図で、腕部が軸３１を支点に垂れ下がり、魚と引き合った時や運搬時には支持部と腕部とが一直線になる。
【０００７】
こうすることで、腕部の逆折れを防止して支持部と腕部とがＬ字形となって沈降し道糸９２とハリス９３とが離反し絡むことを防ぎ、腕部が垂れ下がり魚の食い付き時に与える違和感を軽減して食い込みを良くして釣果率を上げ、魚との引き合いで支持部と腕部とが一直線になり変形を防ぎ、魚の引きの強弱にもオモリの振れを軽減し、運搬時は嵩が小さい変化する釣り用テンビン。また、道糸用環１２に道糸９２を、ハリス用環２２にハリス９３をそれぞれ接続し、と説明したが、道糸９２を道糸用環１２とハリス用環２２とに挿通して遊動式（遊動式とは、道糸に挿通して所定の位置で止め、魚が食い付き引くと下方に移動する釣法）とすることも可能である。
【図面の簡単な説明】
【０００８】
【図１】本発明の変化する釣り用テンビンの形態を示す正面図である。
【図２】図１の支持用ラセン環部分の詳細正面図である。
【図３】図１の腕用ラセン環部分の詳細正面図である。
【図４】図１の結合した軸部分の詳細左側面図である。
【図５】本発明の変化する釣り用テンビンが沈降中の一実施例を示す概念図である。
【図６】本発明の変化する釣り用テンビンが沈降停止時の一実施例を示す概念図である。
【符号の説明】
【０００９】
１１              支持用棒
１２              道糸用環
１３              支持用ラセン環
１４              Ｌ字形停止用ピン
１５              オモリ用環
１６              オモリ用支柱
２１              腕用棒
２２              ハリス用環
２３              腕用ラセン環
２４              逆折れ防止用バー
３１              軸
９１              オモリ
９２              道糸
９３              ハリス
【図１】
0004174777.tif 000002
【図２】
0004174777.tif 000003
【図３】
0004174777.tif 000004
【図４】
0004174777.tif 000005
【図５】
0004174777.tif 000006
【図６】
0004174777.tif 000007